(57)【要約】      （修正有）【課題】トラフィックの変動を精度良く予測するデータ収集装置及び基地局を提供する。【解決手段】データ収集装置１００は、対象物がゲートを通過することを検出可能な検出装置４００が検出した対象物のゲート通過情報を取得する情報取得部と、このゲート通過情報に関する情報を、基地局２００に送信する通信処理部とを備える。基地局２００は、その情報に基づいて、無線通信に関する制御、セルのエリア変更や切り替えを行い、基地局２００の消費電力を制御する。【選択図】図１
2019145998.tif 000002
【特許請求の範囲】
【請求項１】
対象物がゲートを通過することを検出可能な検出装置が検出した対象物のゲート通過情報を取得する情報取得部と、
前記ゲート通過情報に関する情報を、基地局に送信する通信処理部と、
を備える、データ収集装置。
【請求項２】
前記対象物の前記ゲート通過情報は、前記ゲートを通過した前記対象物の数に関する情報を含む、請求項１記載のデータ収集装置。
【請求項３】
前記情報取得部は、前記検出装置との間で無線通信を行うことにより、前記対象物の前記ゲート通過情報を取得する、請求項１又は２記載のデータ収集装置。
【請求項４】
前記情報取得部は、ＬＰＷＡ（Low Power Wide Area）の通信規格を用いて、前記検出装置との間で無線通信を行うことにより、前記対象物の前記ゲート通過情報を取得する、請求項３記載のデータ収集装置。
【請求項５】
前記情報取得部は、前記検出装置から前記対象物の前記ゲート通過情報を定期的に取得する、請求項３又は４記載のデータ収集装置。
【請求項６】
前記ゲート通過情報に関する前記情報は、前記ゲート通過情報に基づいた前記対象物の移動先に関する情報を含む、請求項１乃至５のうち何れか１項記載のデータ収集装置。
【請求項７】
基地局であって、
対象物がゲートを通過することを検出可能な検出装置が検出した対象物のゲート通過情報に関する情報を取得する情報取得部と、
前記ゲート通過情報に関する前記情報に基づいて、無線通信に関する制御を行う制御部と、
を備える基地局。
【請求項８】
前記ゲート通過情報に関する前記情報は、前記対象物の移動先に関する情報を含む、請求項７記載の基地局。
【請求項９】
前記制御部は、前記ゲート通過情報に関する前記情報に基づいて、無線通信に用いるセルのエリアを変更する、請求項８記載の基地局。
【請求項１０】
前記制御部は、前記ゲート通過情報に関する前記情報に基づいて、無線通信に用いるセルの切り替えを行う、請求項８又は９記載の基地局。
【発明の詳細な説明】
【技術分野】
【０００１】
本発明は、データ収集装置、及び基地局に関する。
【背景技術】
【０００２】
基地局の消費電力は、通信データ量の大容量化に伴って増加傾向にある。一方、基地局は、例えばマンション等、消費電力が限られている場所への設置が求められる。
【０００３】
例えば、特許文献１には、通信トラフィックの発生に関連する無線端末の通信見込み量を算出し、所定のエリアにおける通信見込み量が所定の閾値を超える場合に、当該所定のエリアを収容可能な無線セルの稼働状態を省電力状態から非省電力状態に切り替えるように制御することが記載されている。
【０００４】
また、特許文献２には、特定のエリアに存在する移動対象の将来の移動先のエリアにおけるネットワーク品質を予測するネットワーク品質予測装置が記載されている。
【先行技術文献】
【特許文献】
【０００５】
【特許文献１】特開２０１７−１６３４３９号公報
【特許文献２】特開２０１７−１０３６８４号公報
【発明の概要】
【発明が解決しようとする課題】
【０００６】
しかしながら、上述した特許文献１及び２などに開示された技術では、例えば電車、飛行機、及びバスなどの乗り物によって移動するユーザの移動に起因したトラフィックの変動を的確に把握することができなかった。そこで、リアルタイムに変動するトラフィックを的確に把握して基地局を制御できるようにすることが望まれる。
【０００７】
本発明の目的は、トラフィックの変動を精度良く予測することが可能なデータ収集装置、及び基地局を提供することにある。
【課題を解決するための手段】
【０００８】
本発明のデータ収集装置は、対象物がゲートを通過することを検出可能な検出装置が検出した対象物のゲート通過情報を取得する情報取得部と、前記対象物の前記ゲート通過情報に関する情報を、基地局に送信する通信処理部と、を備える。
【０００９】
本発明の基地局は、対象物がゲートを通過することを検出可能な検出装置が検出した対象物のゲート通過情報に関する情報を取得する情報取得部と、前記ゲート通過情報に関する前記情報に基づいて、無線通信に関する制御を行う制御部と、を備える。
【発明の効果】
【００１０】
本発明によれば、トラフィックの変動を精度良く予測することが可能になる。なお、本発明により、当該効果の代わりに、又は当該効果とともに、他の効果が奏されてもよい。
【図面の簡単な説明】
【００１１】
【図１】図１は、本発明の実施形態に係るシステム１の概略的な構成の一例を示す説明図である。
【図２】図２は、第１の実施形態に係るデータ収集装置１００の概略的な構成の例を示すブロック図である。
【図３】図３は、第１の実施形態に係る基地局２００の概略的な構成の例を示すブロック図である。
【図４】図４は、第１の実施形態に係る検出装置４００の概略的な構成の例を示すブロック図である。
【図５】図５は、第１の実施形態に係るデータ収集装置１００が行う処理の概略的な流れの例を説明するためのフローチャートである。
【図６】図６は、第１の実施形態に係る基地局２００が行う処理の概略的な流れの例を説明するためのフローチャートである。
【図７】図７は、第２の実施形態に係るデータ収集装置１００の概略的な構成の例を示すブロック図である。
【図８】図８は、第２の実施形態に係る基地局２００の概略的な構成の例を示すブロック図である。
【発明を実施するための形態】
【００１２】
以下、添付の図面を参照して本発明の実施形態を詳細に説明する。なお、本明細書及び図面において、同様に説明されることが可能な要素については、同一の符号を付することにより重複説明が省略され得る。
【００１３】
説明は、以下の順序で行われる。
１．本発明の実施形態の概要
２．システムの構成
３．第１の実施形態
３．１．データ収集装置１００の構成
３．２．基地局２００の構成
３．３．検出装置４００の構成
３．４．技術的特徴
４．第２の実施形態
４．１．データ収集装置１００の構成
４．２．基地局２００の構成
４．３．技術的特徴
５．他の形態
【００１４】
＜＜１．本発明の実施形態の概要＞＞
まず、本発明の実施形態の概要を説明する。
【００１５】
（１）技術的課題
基地局の消費電力は、通信データ量の大容量化に伴って増加傾向にある。一方、基地局は、例えばマンション等、消費電力が限られている場所への設置が求められる。
【００１６】
しかしながら、例えば電車、飛行機、及びバスなどの乗り物によって移動するユーザの移動に起因したトラフィックの変動を的確に把握することができなかった。そこで、リアルタイムに変動するトラフィックを的確に把握して基地局を制御できるようにすることが望まれる。そこで、リアルタイムに変動するトラフィックを的確に把握して基地局を制御できるようにすることが望まれる。
【００１７】
より具体的には、例えば、アドオンセルの有効無効判断によるリアルタイムの設定解放、セル半径のリアルタイムの調整を事前情報から推測して制御できるようにすることが望まれる。このような制御により、例えば、基地局での対象の機能部の電源をＯＦＦにし、基地局を設置する局舎を含めた消費電力を低減することが期待される。
【００１８】
本実施形態の目的は、トラフィックの変動を精度良く予測することにある。
【００１９】
（２）技術的特徴
本発明の実施形態では、例えば、データ収集装置は、対象物がゲートを通過することを検出可能な検出装置が検出した対象物のゲート通過情報を取得し、上記対象物の上記ゲート通過情報に関する情報を、基地局に送信する。
【００２０】
また、例えば、基地局は、対象物がゲートを通過することを検出可能な検出装置が検出した対象物のゲート通過に関する情報を取得し、上記対象物の上記ゲート通過情報に関する上記情報に基づいて、無線通信に関する制御を行う。
【００２１】
これにより、例えば、トラフィックの変動を精度良く予測することが可能になる。
【００２２】
なお、上述した技術的特徴は本発明の実施形態の具体的な一例であり、当然ながら、本発明の実施形態は上述した技術的特徴に限定されない。
【００２３】
＜＜２．システムの構成＞＞
図１を参照して、本発明の実施形態に係るシステム１の構成の例を説明する。図１は、本発明の実施形態に係るシステム１の概略的な構成の一例を示す説明図である。図１を参照すると、システム１は、データ収集装置１００、基地局２００、端末装置３０、及び検出装置４００を含む。データ収集装置１００、基地局２００、端末装置３０、及び検出装置４００は、ネットワークを介して通信する。
【００２４】
例えば、システム１は、３ＧＰＰ（Third  Generation  Partnership  Project）の規格（standard）／仕様（specification）に準拠したシステムである。より具体的には、例えば、システム１は、ＬＴＥ／ＬＴＥ−Ａｄｖａｎｃｅｄ及び／又はＳＡＥ（System  Architecture  Evolution）の規格／仕様に準拠したシステムであってもよい。あるいは、システム１は、第５世代（５Ｇ）／ＮＲ（New  Radio）の規格／仕様に準拠したシステムであってもよい。当然ながら、システム１は、これらの例に限定されない。
【００２５】
（１）データ収集装置１００
データ収集装置１００は、例えばＬＰＷＡＮ（Low  Power  Wide  Area  Network）のエリア内に位置する装置（例えば検出装置４００）との無線通信を行う。また、データ収集装置１００は、基地局（例えば基地局２００）と通信を行う。
【００２６】
（２）基地局２００
基地局２００は、無線アクセスネットワーク（Radio  Access  Network：ＲＡＮ）のノードであり、カバレッジエリア内に位置する端末装置（例えば、端末装置３０）との無線通信を行う。
【００２７】
例えば、基地局２００は、ｅＮＢ（evolved  Node  B）であってもよく、又は、５ＧにおけるｇＮＢ（generation  Node  B）であってもよい。基地局２００は、複数のユニット（又は複数のノード）を含んでもよい。当該複数のユニット（又は複数のノード）は、上位のプロトコルレイヤの処理を行う第１ユニット（又は第１ノード）と、下位のプロトコルレイヤの処理を行う第２ユニット（又は第２ノード）とを含んでもよい。一例として、上記第１ユニットは、中央ユニット（Center/Central  Unit：ＣＵ）と呼ばれてもよく、上記第２のユニットは、分散ユニット（Distributed  Unit：ＤＵ）又はアクセスユニット（Access  Unit：ＡＵ）と呼ばれてもよい。別の例として、上記第１ユニットは、デジタルユニット（Digital  Unit：ＤＵ）と呼ばれてもよく、上記第２ユニットは、無線ユニット（Radio  Unit：ＲＵ）又はリモートユニット（Remote  Unit：ＲＵ）と呼ばれてもよい。上記ＤＵ（Digital  Unit）は、ＢＢＵ（Base  Band  Unit）であってもよく、上記ＲＵは、ＲＲＨ（Remote  Radio  Head）又はＲＲＵ（Remote  Radio  Unit）であってもよい。当然ながら、上記第１ユニット（又は第１のノード）及び上記第２ユニット（又は第２のノード）の呼称は、この例に限定されない。あるいは、基地局２００は、単一のユニット（又は単一のノード）であってもよい。この場合に、基地局２００は、上記複数のユニットのうちの１つ（例えば、上記第１ユニット及び上記第２ユニットの一方）であってもよく、上記複数のユニットのうちの他のユニット（例えば、上記第１ユニット及び上記第２ユニットの他方）と接続されていてもよい。
【００２８】
（３）端末装置３０
端末装置３０は、基地局との無線通信を行う。例えば、端末装置３０は、基地局２００のカバレッジエリア内に位置する場合に、基地局２００との無線通信を行う。例えば、端末装置３０は、ＵＥ（User  Equipment）である。
【００２９】
（４）検出装置４００
検出装置４００は、対象物（例えば人、自動車など）がゲートを通過することを検出可能な装置である。例えば検出装置４００は、駅の自動改札機、有料道路の料金所に組み込まれる。また、検出装置４００は、例えばＬＰＷＡＮ（Low  Power  Wide  Area  Network）を介して、データ収集装置１００との通信を行う。
【００３０】
＜＜３．第１の実施形態＞＞
続いて、図２〜図６を参照して、本発明の第１の実施形態を説明する。
【００３１】
＜３．１．データ収集装置１００の構成＞
次に、図２を参照して、第１の実施形態に係るデータ収集装置１００の構成の例を説明する。図２は、第１の実施形態に係るデータ収集装置１００の概略的な構成の例を示すブロック図である。図２を参照すると、データ収集装置１００は、無線通信部１１０、ネットワーク通信部１２０、記憶部１３０及び処理部１４０を備える。
【００３２】
（１）無線通信部１１０
無線通信部１１０は、信号を無線で受信する。例えば、無線通信部１１０は、検出装置４００からの信号を受信する。
【００３３】
（２）ネットワーク通信部１２０
ネットワーク通信部１２０は、ネットワークから信号を受信し、ネットワークへ信号を送信する。例えば、ネットワーク通信部１２０は、基地局２００からの信号を受信し、基地局２００への信号を送信する。
【００３４】
（３）記憶部１３０
記憶部１３０は、データ収集装置１００の動作のためのプログラム（命令）及びパラメータ、並びに様々なデータを、一時的に又は恒久的に記憶する。当該プログラムは、データ収集装置１００の動作のための１つ以上の命令を含む。
【００３５】
（４）処理部１４０
処理部１４０は、データ収集装置１００の様々な機能を提供する。処理部１４０は、情報取得部１４１、通信処理部１４３、推測部１４５を含む。なお、処理部１４０は、これらの構成要素以外の他の構成要素をさらに含み得る。即ち、処理部１４０は、これらの構成要素の動作以外の動作も行い得る。情報取得部１４１、通信処理部１４３、及び推測部１４５の具体的な動作は、後に詳細に説明する。
【００３６】
例えば、処理部１４０（情報取得部１４１）は、無線通信部１１０を介して検出装置４００と通信する。例えば、処理部１４０（通信処理部１４３）は、ネットワーク通信部１２０を介して基地局２００と通信する。
【００３７】
（５）実装例
無線通信部１１０は、アンテナ及び高周波（Radio  Frequency：ＲＦ）回路等により実装されてもよい。ネットワーク通信部１２０は、ネットワークアダプタ並びに／又はネットワークインタフェースカード等により実装されてもよい。記憶部１３０は、メモリ（例えば、不揮発性メモリ及び／若しくは揮発性メモリ）並びに／又はハードディスク等により実装されてもよい。処理部１４０は、ベースバンド（Baseband：ＢＢ）プロセッサ及び／又は他の種類のプロセッサ等の１つ以上のプロセッサにより実装されてもよい。情報取得部１４１、通信処理部１４３、推測部１４５は、同一のプロセッサにより実装されてもよく、別々に異なるプロセッサにより実装されてもよい。上記メモリ（記憶部１３０）は、上記１つ以上のプロセッサ内に含まれていてもよく、又は、上記１つ以上のプロセッサ外にあってもよい。
【００３８】
データ収集装置１００は、プログラム（命令）を記憶するメモリと、当該プログラム（命令）を実行可能な１つ以上のプロセッサとを含んでもよい。当該１つ以上のプロセッサは、上記プログラムを実行して、処理部１４０の動作（情報取得部１４１、通信処理部１４３及び／又は推測部１４５の動作）を行ってもよい。上記プログラムは、処理部１４０の動作（情報取得部１４１、通信処理部１４３及び／又は推測部１４５の動作）をプロセッサに実行させるためのプログラムであってもよい。
＜３．２．基地局２００の構成＞
次に、図３を参照して、第１の実施形態に係る基地局２００の構成の例を説明する。図３は、第１の実施形態に係る基地局２００の概略的な構成の例を示すブロック図である。図３を参照すると、基地局２００は、無線通信部２１０、ネットワーク通信部２２０、記憶部２３０及び処理部２４０を備える。
【００３９】
（１）無線通信部２１０
無線通信部２１０は、信号を無線で送受信する。例えば、無線通信部２１０は、端末装置からの信号を受信し、端末装置への信号を送信する。
【００４０】
（２）ネットワーク通信部２２０
ネットワーク通信部２２０は、ネットワークから信号を受信し、ネットワークへ信号を送信する。例えば無線通信部２１０は、データ収集装置１００からの信号を受信し、データ収集装置１００への信号を送信する。
【００４１】
（３）記憶部２３０
記憶部２３０は、基地局２００の動作のためのプログラム（命令）及びパラメータ、並びに様々なデータを、一時的に又は恒久的に記憶する。当該プログラムは、基地局２００の動作のための１つ以上の命令を含む。
【００４２】
（４）処理部２４０
処理部２４０は、基地局２００の様々な機能を提供する。処理部２４０は、情報取得部２４１及び制御部２４３を含む。なお、処理部２４０は、これらの構成要素以外の他の構成要素をさらに含み得る。即ち、処理部２４０は、これらの構成要素の動作以外の動作も行い得る。情報取得部２４１及び制御部２４３の具体的な動作は、後に詳細に説明する。
【００４３】
例えば、処理部１４０（情報取得部２４１）は、ネットワーク通信部２２０を介してデータ収集装置１００と通信する。例えば、処理部１４０（制御部２４３）は、端末装置（例えば端末装置３０）との無線通信に関する制御を行う。
【００４４】
（５）実装例
無線通信部２１０は、アンテナ及び高周波（Radio  Frequency：ＲＦ）回路等により実装されてもよく、当該アンテナは、指向性アンテナであってもよい。ネットワーク通信部２２０は、ネットワークアダプタ並びに／又はネットワークインタフェースカード等により実装されてもよい。記憶部２３０は、メモリ（例えば、不揮発性メモリ及び／若しくは揮発性メモリ）並びに／又はハードディスク等により実装されてもよい。処理部２４０は、ベースバンド（Baseband：ＢＢ）プロセッサ及び／又は他の種類のプロセッサ等の１つ以上のプロセッサにより実装されてもよい。情報取得部２４１及び制御部２４３は、同一のプロセッサにより実装されてもよく、別々に異なるプロセッサにより実装されてもよい。上記メモリ（記憶部２３０）は、上記１つ以上のプロセッサ内に含まれていてもよく、又は、上記１つ以上のプロセッサ外にあってもよい。
【００４５】
基地局２００は、プログラム（命令）を記憶するメモリと、当該プログラム（命令）を実行可能な１つ以上のプロセッサとを含んでもよい。当該１つ以上のプロセッサは、上記プログラムを実行して、処理部２４０の動作（情報取得部２４１及び／又は制御部２４３の動作）を行ってもよい。上記プログラムは、処理部１４０の動作（情報取得部２４１及び／又は制御部２４３の動作）をプロセッサに実行させるためのプログラムであってもよい。
【００４６】
なお、基地局２００は、仮想化されていてもよい。即ち、基地局２００は、仮想マシンとして実装されてもよい。この場合に、基地局２００（仮想マシン）は、プロセッサ及びメモリ等を含む物理マシン（ハードウェア）及びハイパーバイザー上で仮想マシンとして動作してもよい。
【００４７】
＜３．３．検出装置４００の構成＞
次に、図４を参照して、第１の実施形態に係る検出装置４００の構成の例を説明する。図４は、第１の実施形態に係る検出装置４００の概略的な構成の例を示すブロック図である。図４を参照すると、検出装置４００は、情報読取部４１０、無線通信部４２０、記憶部４３０及び処理部４４０を備える。
【００４８】
（１）情報読取部４１０
情報読取部４１０は、例えば、対象物が出入り可能なゲートに設置されたリーダ装置であって、対象物が保持するＩＣタグの情報を読み取る。
【００４９】
（２）無線通信部４２０
無線通信部４２０は、信号を無線で受信する。例えば、無線通信部４２０は、データ収集装置１００への信号を送信する。
【００５０】
（３）記憶部４３０
記憶部４３０は、検出装置４００の動作のためのプログラム（命令）及びパラメータ、並びに様々なデータを、一時的に又は恒久的に記憶する。当該プログラムは、検出装置４００の動作のための１つ以上の命令を含む。
【００５１】
（４）処理部４４０
処理部４４０は、検出装置４００の様々な機能を提供する。処理部４４０は、検出処理部４４１及び通信処理部４４３を含む。なお、処理部４４０は、これらの構成要素以外の他の構成要素をさらに含み得る。即ち、処理部４４０は、これらの構成要素の動作以外の動作も行い得る。検出処理部４４１及び通信処理部４４３の具体的な動作は、後に詳細に説明する。
【００５２】
例えば、処理部４４０（検出処理部４４１）は、情報読取部４１０を用いて対象物がゲートを通過したことを検出する。例えば、処理部４４０（通信処理部４４３）は、無線通信部４２０を介してデータ収集装置１００と通信する。
【００５３】
（５）実装例
情報読取部４１０は、例えばＲＦＩＤ（Radio Frequency Identification）のリーダ装置などにより実装されてもよい。また、無線通信部４２０は、アンテナ及び高周波（Radio  Frequency：ＲＦ）回路等により実装されてもよい。記憶部４３０は、メモリ（例えば、不揮発性メモリ及び／若しくは揮発性メモリ）並びに／又はハードディスク等により実装されてもよい。処理部４４０は、ベースバンド（Baseband：ＢＢ）プロセッサ及び／又は他の種類のプロセッサ等の１つ以上のプロセッサにより実装されてもよい。検出処理部４４１及び通信処理部４４３は、同一のプロセッサにより実装されてもよく、別々に異なるプロセッサにより実装されてもよい。上記メモリ（記憶部４３０）は、上記１つ以上のプロセッサ内に含まれていてもよく、又は、上記１つ以上のプロセッサ外にあってもよい。
【００５４】
検出装置４００は、プログラム（命令）を記憶するメモリと、当該プログラム（命令）を実行可能な１つ以上のプロセッサとを含んでもよい。当該１つ以上のプロセッサは、上記プログラムを実行して、処理部４４０の動作（検出処理部４４１及び／又は通信処理部４４３の動作）を行ってもよい。上記プログラムは、処理部４４０の動作（検出処理部４４１及び／又は通信処理部４４３の動作）をプロセッサに実行させるためのプログラムであってもよい。
【００５５】
＜３．４．技術的特徴＞
次に、第１の実施形態の技術的特徴を説明する。
【００５６】
データ収集装置１００（情報取得部１４１）は、対象物がゲートを通過することを検出可能な検出装置４００が検出した対象物のゲート通過情報を取得する。そして、データ収集装置１００（通信処理部１４３）は、上記対象物の上記ゲート通過情報に関する情報を、基地局（例えば基地局２００）に送信する。
【００５７】
また、基地局２００（情報取得部２４１）は、対象物がゲートを通過することを検出可能な検出装置が検出した対象物のゲート通過情報を取得する。そして、基地局２００（制御部２４３）は、上記ゲート通過情報に関する上記情報に基づいて、無線通信に関する制御を行う。
【００５８】
（１）ゲート通過情報
−ゲート通過情報の送受信
ゲート通過情報は、上述したように、検出装置４００が検出した対象物のゲート通過情報である。具体的に、検出装置４００（検出処理部４４１）は、情報読取部４１０などを用いて、例えばゲートを通過する対象物が持つＩＣタグの情報を読み取ることにより、例えば、端末装置３０を携帯する人、当該人が乗って移動する乗り物（電車、自動車など）などの対象物が、ゲートを通過することを検出することができる。そして、上記ゲート通過情報は、検出装置４００（通信処理部４４３）によりデータ収集装置１００に送信される。
【００５９】
また、データ収集装置１００（情報読取部４１０）は、検出装置４００との間で無線通信を行うことにより、上記ゲート通過情報を取得する。ここで、無線通信の規格としては、例えばＬＰＷＡ（Low Power Wide Area）の通信規格が用いられる。
【００６０】
また、データ収集装置１００（情報読取部４１０）は、検出装置４００から上記ゲート通過情報を定期的に取得する。
【００６１】
（２）ゲート通過情報に関する情報
−ゲート通過情報に関する情報の詳細
上記ゲート通過情報に関する情報は、上記ゲート通過情報に基づいた上記対象物の移動先に関する情報を含む。
【００６２】
具体的には、データ収集装置１００（推測部１４５）は、上記ゲート通過情報に基づいて、上記対象物の移動先に関する上記情報を推測する。
【００６３】
例えば、データ収集装置１００（推測部１４５）は、例えばイベント会場の最寄り駅の自動改札機（ゲート）を通過した単位時間あたりの乗客数に関する情報に基づいて、イベント会場（移動先）に移動する人数、及び移動時間などを、上記対象物の移動先に関する上記情報として推測する。
【００６４】
より具体的には、データ収集装置１００（推測部１４５）は、一定の時間にわたって上記ゲート通過情報を集計するなどして、過去データから定常的に該当セルエリアに存在するユーザ数、該当セルエリアにユーザが存在しなくなる時間、高速通信に対応していないユーザのみが存在する時間、ユーザが現在の基地局で許容しているユーザ数を超える時間、高速通信に対応しているユーザが存在する時間などの情報を、上記対象物の移動先に関する上記情報として推測することができる。
【００６５】
上記ゲート通過情報に関する上記情報は、上述したように、データ収集装置１００から基地局２００に送られる。
【００６６】
−ゲート通過情報に関する情報に基づいた制御
基地局２００（制御部２４３）は、上述したように、上記ゲート通過情報に関する上記情報に基づいて、無線通信に関する制御を行う。例えば、基地局２００（制御部２４３）は、上記ゲート通過情報に関する上記情報に基づいて、無線通信に用いるセルのエリアを変更する。また、基地局２００（制御部２４３）は、上記ゲート通過情報に関する前記情報に基づいて、無線通信に用いるセルの切り替えを行う。
【００６７】
具体的に、まず、基地局２００（制御部２４３）は、上記ゲート通過情報に関する上記情報に基づいて、基地局２００でカバーするセルエリア内のデータトラフィックに関する情報を時系列で推定する。
【００６８】
そして、基地局２００（制御部２４３）は、該当エリアにユーザ（例えば端末装置３０）が存在しない時間帯が推定される場合は、該当エリアのセル半径の縮小を行う。また、基地局２００（制御部）は、キャリアアグリゲーションに対応していないユーザ（例えば端末装置３０）、及び／又は音声通話のみ行うユーザ（例えば端末装置３０）のみ存在する時間帯が推定される場合は、アドオンセルを解放することで無線基地局装置の消費電力を制御する。
【００６９】
また、基地局２００（制御部２４３）は、セル範囲に入っていない隣接エリアにユーザ（例えば端末装置３０）が入ることを推定した場合、事前にセル半径を拡大する。また、基地局２００（制御部２４３）は、高速通信に対応しているユーザ増を推定した場合は、アドオンセルを追加する。
【００７０】
また、基地局２００（制御部２４３）は、マクロセル（プライマリセル）とアドオンセルを物理的に分けて、ベースバンドリソースの割り当てを行うように、無線通信部２１０の機能を分散してもよい。これにより、複数のアドオンセルを解放可能な場合、アドオンセルを解放すると共にベースバンド機能部（例えば無線通信部２１０の一部の機能）の電源を物理的にＯＦＦにすることができ、基地局の省電力化を図ることができる。
【００７１】
（３）効果
例えば、データ収集装置１００は、上記ゲート通過情報に基づいて、あるエリアにおいてある時刻で推定されるユーザ滞在数情報などを、上記ゲート通過情報に関する上記情報として保持することができる。
【００７２】
また、基地局２００は、上記ゲート通過情報に関する上記情報を活用して、無線通信に関する制御を行うことができる。すなわち、基地局２００は、セル半径をリアルタイムに変更することで、消費電力の最適化を図ることができる。また、基地局２００は、アドオンセルを不要なタイミングで解放することでアドオンセル運用に関連する機能部（無線通信部２１０の一部の機能）の電源を物理的にＯＦＦにすることで、消費電力の最適化を図ることができる。
【００７３】
一例として、数万人が集まるイベントが地域Ａ駅で本日午後１９時に行われる場合を想定する。この場合、データ収集装置１００は、イベント当日、地域Ａ駅からイベント会場（移動先）へ向かう人数、時間帯を、上記ゲート通過情報に関する上記情報として、推測することができる。
【００７４】
また、基地局２００は、データ収集装置１００から取得した上記ゲート通過情報に関する上記情報に基づき、例えば、イベント前に該当セル範囲内にユーザが存在せずにアドオンセルを解放して省電力化していた場合、省電力化していた機能部（例えば無線通信部２１０の一部）を起動させ、アドオンセルを事前に設定することができる。
【００７５】
また、イベント終了後、データ収集装置１００は、地域Ａ駅の自動改札機（ゲート）のゲート通過情報に基づいてユーザが該当セルエリアから不在となることを推測しうる。このような場合は、基地局２００は、アドオンセルを解放し、関係する機能部（無線通信部２１０の一部）の電源を物理的にＯＦＦにすることができる。
【００７６】
（４）処理の流れ
図５及び図６を参照して、第１の実施形態に係る処理の流れの例を説明する。
【００７７】
（４−１）データ収集装置１００が行う処理の例
図５は、第１の実施形態に係るデータ収集装置１００が行う処理の概略的な流れの例を説明するためのフローチャートである。
【００７８】
ステップＳ５０１において、データ収集装置１００（情報取得部１４１）は、例えば、自動改札機、または入退場窓口などのゲートに設置された検出装置４００から、上記ゲート通過情報を周期的に取得する。
【００７９】
ステップＳ５０３において、データ収集装置１００（推測部１４５）は、上記ゲート通過情報に基づいて、上記ゲート通過情報に関する情報（対象物の移動先、及びその到達時間など）を周期的に推測する。
【００８０】
具体的に、データ収集装置１００（推測部１４５）は、例えば、上記ゲート通過情報を用いて、あらかじめ登録されている乗り物（例えば電車、自動車など）の速度情報、及び／又は、対象物（人）の移動速度（歩行速度）を算出することで、対象物の移動先及びその到達時間に関する情報を推測する。
【００８１】
ステップＳ５０５において、データ収集装置１００（通信処理部１４３）は、上記ゲート通過情報に関する上記情報を、基地局２００に送信して、上記図５に示す処理を終了する。
【００８２】
（４−２）基地局２００が行う処理の例
図６は、第１の実施形態に係る基地局２００が行う処理の概略的な流れの例を説明するためのフローチャートである。
【００８３】
ステップＳ６０１において、基地局２００（情報取得部２４１）は、データ収集装置１００から上記ゲート通過情報に関する上記情報を取得する。
【００８４】
ステップＳ６０３において、基地局２００（制御部２４３）は、上記ゲート通過情報に関する上記情報に基づいて、必要アドオンセル数、必要セル半径、及び物理的な機能部の不足有無を判断する。
【００８５】
ステップＳ６０５において、基地局２００（制御部２４３）は、ステップＳ６０３による判断に基づき、必要なアドオンセルに対応する設定部（無線通信部２１０の一部の機能）の電源がＯＮであるか否かを判断する。当該電源がＯＮである場合（Ｓ６０５：Ｙｅｓ）にはステップＳ６０７に進み、当該電源がＯＦＦの場合にはステップＳ６０９に進む。
【００８６】
ステップＳ６０７において、基地局２００（制御部２４３）は、必要分のアドオンセルの設定、及びセル半径の増減設定を行い、図６に示す処理を終了する。
【００８７】
ステップＳ６０９において、基地局２００（制御部２４３）は、必要なアドオンセルに対応する機能部の電源をＯＮにして、必要分のアドオンセルの設定、及びセル半径の増減設定を行う。
【００８８】
（５）変形例
本実施形態は、上述した具体例に限らず、種々の変形が可能である。
【００８９】
例えば、データ収集装置１００は、端末装置３０のＧＰＳ機能により取得可能な位置情報と連携させてもよい。例えば、データ収集装置１００（推測部１４５）は、ゲート通過後の対象物の移動、例えば徒歩での移動、乗り物による移動情報を取得して、対象物の移動スピードを算出してもよい。これにより、データ収集装置１００（推測部１４５）は、ユーザ移動先に関する情報をより精度良く推測することができる。
【００９０】
この結果として、基地局２００（制御部２４３）は、正確な時間にアドオンセル設定解放したり、セル半径を制御したりして、省電力化を行うことが可能になる。
【００９１】
また、基地局２００（制御部２４３）は、上記ゲート通過情報に関する上記情報に基づいてビームフォーミングでのアンテナ角度を調整してもよく、省電力でのエリア拡大、干渉レベル減少、及びスループット向上を図ることができる。
【００９２】
さらに、データ収集装置１００の各種機能は、基地局２００に組み込まれていてもよい。
【００９３】
＜＜４．第２の実施形態＞＞
続いて、図７及び図８を参照して、本発明の第２の実施形態を説明する。上述した第１の実施形態は、具体的な実施形態であるが、第２の実施形態は、より一般化された実施形態である。
【００９４】
＜４．１．データ収集装置１００の構成＞
まず、図７を参照して、第２の実施形態に係るデータ収集装置１００の構成の例を説明する。図７は、第２の実施形態に係るデータ収集装置１００の概略的な構成の例を示すブロック図である。図７を参照すると、データ収集装置１００は、情報取得部１５１及び通信処理部１５３を備える。情報取得部１５１及び通信処理部１５３の具体的な動作は、後に説明する。
【００９５】
情報取得部１５１及び通信処理部１５３は、同一のプロセッサにより実装されてもよく、別々に異なるプロセッサにより実装されてもよい。情報取得部１５１及び通信処理部１５３は、プログラム（命令）を記憶するメモリと、当該プログラム（命令）を実行可能な１つ以上のプロセッサとを含んでもよく、当該１つ以上のプロセッサは、情報取得部１５１及び通信処理部１５３の動作を行ってもよい。上記プログラムは、情報取得部１５１及び通信処理部１５３の動作をプロセッサに実行させるためのプログラムであってもよい。
【００９６】
なお、上述した各々のプロセッサは、例えば汎用なコンピュータにインストールされたハイパーバイザーなどにより実現される仮想プロセッサであってもよい。また、上述した各々のメモリは、例えば汎用なコンピュータにインストールされたハイパーバイザーなどにより実現される仮想メモリであってもよい。
【００９７】
＜４．２．基地局２００の構成＞
まず、図８を参照して、第２の実施形態に係る基地局２００の構成の例を説明する。図８は、第２の実施形態に係る基地局２００の概略的な構成の例を示すブロック図である。図８を参照すると、基地局２００は、情報取得部２５１及び制御部２５３を備える。情報取得部２５１及び制御部２５３の具体的な動作は、後に説明する。
【００９８】
情報取得部２５１及び制御部２５３は、同一のプロセッサにより実装されてもよく、別々に異なるプロセッサにより実装されてもよい。情報取得部２５１及び制御部２５３は、プログラム（命令）を記憶するメモリと、当該プログラム（命令）を実行可能な１つ以上のプロセッサとを含んでもよく、当該１つ以上のプロセッサは、情報取得部２５１及び制御部２５３の動作を行ってもよい。上記プログラムは、情報取得部２５１及び制御部２５３の動作をプロセッサに実行させるためのプログラムであってもよい。
【００９９】
なお、上述した各々のプロセッサは、例えば汎用なコンピュータにインストールされたハイパーバイザーなどにより実現される仮想プロセッサであってもよい。また、上述した各々のメモリは、例えば汎用なコンピュータにインストールされたハイパーバイザーなどにより実現される仮想メモリであってもよい。
【０１００】
＜４．３．技術的特徴＞
次に、第２の実施形態の技術的特徴を説明する。
【０１０１】
第２の実施形態では、データ収集装置１００（情報取得部１５１）は、対象物がゲートを通過することを検出可能な検出装置が検出した対象物のゲート通過情報を取得する。そして、データ収集装置１００（通信処理部１５３）は、上記ゲート通過情報に関する情報を、基地局（例えば基地局２００）に送信する。
【０１０２】
例えば、情報取得部１５１は、上述した第１の実施形態に係る情報取得部１４１の動作を行ってもよい。また、通信処理部１５３は、上述した第１の実施形態に係る通信処理部１４３の動作を行ってもよい。
【０１０３】
また、第２の実施形態では、基地局２００（情報取得部２５１）は、対象物がゲートを通過することを検出可能な検出装置が検出した対象物のゲート通過に関する情報を取得する。そして、基地局２００（制御部２５３）は、上記ゲート通過情報に関する上記情報に基づいて、無線通信に関する制御を行う。
【０１０４】
例えば、情報取得部２５１は、上述した第１の実施形態に係る情報取得部２４１の動作を行ってもよい。また、制御部２５３は、上述した第１の実施形態に係る制御部２４３の動作を行ってもよい。
【０１０５】
以上、第２の実施形態を説明した。第２の実施形態によれば、例えば、トラフィックの変動を精度良く予測することが可能になる。
【０１０６】
＜＜５．他の形態＞＞
以上、本発明の実施形態を説明したが、本発明はこれらの実施形態に限定されるものではない。これらの実施形態は例示にすぎないということ、及び、本発明のスコープ及び精神から逸脱することなく様々な変形が可能であるということは、当業者に理解されるであろう。
【０１０７】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。また、処理におけるステップの一部が削除されてもよく、さらなるステップが処理に追加されてもよい。
【０１０８】
また、本明細書において説明したデータ収集装置の構成要素（例えば、情報取得部、通信処理部、及び／又は推測部）を備える装置（例えば、データ収集装置を構成する複数の装置（又はユニット）のうちの１つ以上の装置（又はユニット）、又は上記複数の装置（又はユニット）のうちの１つのためのモジュール）が提供されてもよい。本明細書において説明した基地局の構成要素（例えば、情報取得部、及び／又は制御部）を備える装置（例えば、端末装置のためのモジュール）が提供されてもよい。また、上記構成要素の処理を含む方法が提供されてもよく、上記構成要素の処理をプロセッサに実行させるためのプログラムが提供されてもよい。また、当該プログラムを記録したコンピュータに読み取り可能な非一時的記録媒体（Non-transitory  computer  readable  medium）が提供されてもよい。当然ながら、このような装置、モジュール、方法、プログラム、及びコンピュータに読み取り可能な非一時的記録媒体も本発明に含まれる。
【０１０９】
上記実施形態の一部又は全部は、以下の付記のようにも記載され得るが、以下には限られない。
【０１１０】
（付記１）
対象物がゲートを通過することを検出可能な検出装置が検出した対象物のゲート通過情報を取得する情報取得部と、
前記ゲート通過情報に関する情報を、基地局に送信する通信処理部と、
を備える、データ収集装置。
【０１１１】
（付記２）
前記対象物の前記ゲート通過情報は、前記ゲートを通過した前記対象物の数に関する情報を含む、付記１記載のデータ収集装置。
【０１１２】
（付記３）
前記情報取得部は、前記検出装置との間で無線通信を行うことにより、前記対象物の前記ゲート通過情報を取得する、付記１又は２記載のデータ収集装置。
【０１１３】
（付記４）
前記情報取得部は、ＬＰＷＡ（Low Power Wide Area）の通信規格を用いて、前記検出装置との間で無線通信を行うことにより、前記対象物の前記ゲート通過情報を取得する、付記３記載のデータ収集装置。
【０１１４】
（付記５）
前記情報取得部は、前記検出装置から前記対象物の前記ゲート通過情報を定期的に取得する、付記３又は４記載のデータ収集装置。
【０１１５】
（付記６）
前記ゲート通過情報に関する前記情報は、前記ゲート通過情報に基づいた前記対象物の移動先に関する情報を含む、付記１乃至５のうち何れか１項記載のデータ収集装置。
【０１１６】
（付記７）
基地局であって、
対象物がゲートを通過することを検出可能な検出装置が検出した対象物のゲート通過情報に関する情報を取得する情報取得部と、
前記ゲート通過情報に関する前記情報に基づいて、無線通信に関する制御を行う制御部と、
を備える基地局。
【０１１７】
（付記８）
前記ゲート通過情報に関する前記情報は、前記対象物の移動先に関する情報を含む、付記７記載の基地局。
【０１１８】
（付記９）
前記制御部は、前記ゲート通過情報に関する前記情報に基づいて、無線通信に用いるセルのエリアを変更する、付記８記載の基地局。
【０１１９】
（付記１０）
前記制御部は、前記ゲート通過情報に関する前記情報に基づいて、無線通信に用いるセルの切り替えを行う、付記８又は９記載の基地局。
【０１２０】
（付記１１）
対象物がゲートを通過することを検出可能な検出装置が検出した対象物のゲート通過情報を取得することと、
前記ゲート通過情報に関する情報を、基地局に送信することと、
を含む、方法。
【０１２１】
（付記１２）
対象物がゲートを通過することを検出可能な検出装置が検出した対象物のゲート通過情報に関する情報を取得することと、
前記ゲート通過情報に関する前記情報に基づいて、無線通信に関する制御を行うことと、
含む、方法。
【０１２２】
（付記１３）
対象物がゲートを通過することを検出可能な検出装置が検出した対象物のゲート通過情報を取得することと、
前記ゲート通過情報に関する情報を、基地局に送信することと、
をプロセッサに実行させるプログラム。
【０１２３】
（付記１４）
対象物がゲートを通過することを検出可能な検出装置が検出した対象物のゲート通過情報に関する情報を取得することと、
前記ゲート通過情報に関する前記情報に基づいて、無線通信に関する制御を行うことと、
をプロセッサに実行させるプログラム。
【０１２４】
（付記１５）
対象物がゲートを通過することを検出可能な検出装置が検出した対象物のゲート通過情報を取得することと、
前記ゲート通過情報に関する情報を、基地局に送信することと、
をプロセッサに実行させるプログラムを記録したコンピュータに読み取り可能な非一時的記録媒体。
【０１２５】
（付記１６）
対象物がゲートを通過することを検出可能な検出装置が検出した対象物のゲート通過情報に関する情報を取得することと、
前記ゲート通過情報に関する前記情報に基づいて、無線通信に関する制御を行うことと、
をプロセッサに実行させるプログラムを記録したコンピュータに読み取り可能な非一時的記録媒体。
【産業上の利用可能性】
【０１２６】
移動体通信システムにおいて、トラフィックの変動を精度良く予測することが可能になる。
【符号の説明】
【０１２７】
１        システム
１００    データ収集装置
２００    基地局
１４１、１５１、２４１、２５１  情報取得部
１４３、１５３、４４３  通信処理部
１４５  推測部
２４３、２５３  制御部
４４１  検出処理部
【図１】
2019145998.tif 000003
【図２】
2019145998.tif 000004
【図３】
2019145998.tif 000005
【図４】
2019145998.tif 000006
【図５】
2019145998.tif 000007
【図６】
2019145998.tif 000008
【図７】
2019145998.tif 000009
【図８】
2019145998.tif 000010